(57)【要約】【課題】他の映像機器がコマンドに応答して制御されたか否かを確認することができる映像機器を提供する。【解決手段】モニタ１０は、ＳＤＩ規格に基づく映像信号のブランキング期間に割り当てられているアンシラリ領域にモニタ１１〜１５を制御するためのコマンドを重畳する。モニタ１０は、モニタ１５からの映像信号のアンシラリ領域に、モニタ１１〜１５がコマンドに応答して自己の映像機器を制御したときに重畳させる応答データが含まれているか否かを確認する。モニタ１０は、モニタ１１〜１５がコマンドに応答して制御されたか否かを提示させる。【選択図】図１
2015008372.tif 000002
【特許請求の範囲】
【請求項１】
ＳＤＩ規格に基づく映像信号のブランキング期間に割り当てられているアンシラリ領域に他の映像機器を制御するためのコマンドを重畳するコマンド重畳部と、
前記アンシラリ領域に、前記他の映像機器が前記コマンドに応答して自己の映像機器を制御したときに重畳させる応答データが含まれているか否かを確認する応答データ確認部と、
前記応答データ確認部が前記アンシラリ領域に前記応答データが含まれているか否かを確認した応答データ確認情報に基づいて、前記他の映像機器が前記コマンドに応答して制御されたか否かを確認する制御部と、
を備えることを特徴とする映像機器。
【請求項２】
前記他の映像機器は、直列的に接続された複数の映像機器であり、
前記複数の映像機器に対して、前記コマンドによる制御を有効とするか無効とするかを設定する有効／無効設定部をさらに備えることを特徴とする請求項１記載の映像機器。
【請求項３】
上位側に接続されている映像機器より送信されたＳＤＩ規格に基づく映像信号を受信する受信部と、
前記映像信号のブランキング期間に割り当てられているアンシラリ領域に重畳されているコマンドを抽出するコマンド抽出部と、
前記コマンドに応答して自己の映像機器を制御したとき、前記アンシラリ領域に応答データを重畳させる応答データ重畳部と、
前記コマンド及び前記応答データが重畳された映像信号を下位側に接続されている映像機器に送信する送信部と、
を備えることを特徴とする映像機器。
【請求項４】
親機である映像機器に対して、子機である複数の映像機器が最上位の子機から最下位の子機まで直列的に接続され、前記最下位の子機が前記親機と接続され、
操作部によって、前記親機に対して前記親機を制御するコマンドを送信し、
前記親機は、ＳＤＩ規格に基づく映像信号のブランキング期間に割り当てられているアンシラリ領域に前記コマンドを重畳し、
前記子機は、それぞれ、前記コマンドを抽出し、前記コマンドに応答して自己の映像機器を制御し、
前記子機は、それぞれ、自己の映像機器を制御したとき、前記アンシラリ領域に応答データを重畳し、
前記最下位の子機を除く前記子機は、それぞれ、前記コマンド及び前記応答データが重畳された映像信号を下位側の子機に送信し、
前記最下位の子機は、前記コマンド及び前記応答データが重畳された映像信号を前記親機に送信する
ことを特徴とする映像機器の制御方法。
【発明の詳細な説明】
【技術分野】
【０００１】
本発明は、ＳＤＩ（Serial Digital Interface）規格に基づいて、映像信号を他の映像機器へと送信したり、他の映像機器から映像信号を受信したりする映像機器及び映像機器の制御方法に関する。
【背景技術】
【０００２】
高速シリアル・インタフェース規格の１つとして、非圧縮のデジタル映像信号とデジタル音声信号を１本の同軸ケーブルで伝送することができるＳＤＩ規格が主として業務用映像機器において用いられている。ＳＤＩ規格では、ＢＮＣコネクタが用いられる。
【０００３】
ＳＤＩ規格では、映像信号のブランキング期間に割り当てられているアンシラリ領域（予備領域）を用いて、映像機器を制御するためのコマンドを送信することができる。これにより、複数の映像機器を直列的に接続して、１つの映像機器（親機）に対して送信したコマンドを、直列的に接続された他の映像機器（子機）に順次送信して、複数の映像機器の全体をコマンドに応じて制御することができる（特許文献１参照）。
【先行技術文献】
【特許文献】
【０００４】
【特許文献１】特開２０１１−２２３０７８号公報
【発明の概要】
【発明が解決しようとする課題】
【０００５】
ところが、ＳＤＩ規格は一方向の伝送規格であるため、親機やこの親機を操作した操作者は、それぞれの子機がコマンドに応答して制御されたか否かを知ることができない。そこで、親機や操作者が、それぞれの子機がコマンドに応答して制御されたか否かを確認することができる映像機器であることが望まれる。
【０００６】
本発明はこのような要望に対応するため、操作者が１つの映像機器に対してコマンドを送信して、直列的に接続された他の映像機器のそれぞれをコマンドによって制御するとき、他の映像機器がコマンドに応答して制御されたか否かを確認することができる映像機器及び映像機器の制御方法を提供することを目的とする。
【課題を解決するための手段】
【０００７】
本発明は、上述した従来の技術の課題を解決するため、ＳＤＩ規格に基づく映像信号のブランキング期間に割り当てられているアンシラリ領域に他の映像機器を制御するためのコマンドを重畳するコマンド重畳部と、前記アンシラリ領域に、前記他の映像機器が前記コマンドに応答して自己の映像機器を制御したときに重畳させる応答データが含まれているか否かを確認する応答データ確認部と、前記応答データ確認部が前記アンシラリ領域に前記応答データが含まれているか否かを確認した応答データ確認情報に基づいて、前記他の映像機器が前記コマンドに応答して制御されたか否かを確認する制御部とを備えることを特徴とする映像機器を提供する。
【０００８】
本発明は、上述した従来の技術の課題を解決するため、ＳＤＩ規格に基づく映像信号のブランキング期間に割り当てられているアンシラリ領域に他の映像機器を制御するためのコマンドを重畳するコマンド重畳部と、前記アンシラリ領域に、前記他の映像機器が前記コマンドに応答して自己の映像機器を制御したときに重畳させる応答データが含まれているか否かを確認する応答データ確認部と、前記応答データ確認部が前記アンシラリ領域に前記応答データが含まれているか否かを確認した応答データ確認情報を、外部機器に供給するよう制御する制御部とを備えることを特徴とする映像機器を提供する。
【０００９】
本発明は、上述した従来の技術の課題を解決するため、上位側に接続されている映像機器より送信されたＳＤＩ規格に基づく映像信号を受信する受信部と、前記映像信号のブランキング期間に割り当てられているアンシラリ領域に重畳されているコマンドを抽出するコマンド抽出部と、前記コマンドに応答して自己の映像機器を制御したとき、前記アンシラリ領域に応答データを重畳させる応答データ重畳部と、前記コマンド及び前記応答データが重畳された映像信号を下位側に接続されている映像機器に送信する送信部とを備えることを特徴とする映像機器を提供する。
【００１０】
本発明は、上述した従来の技術の課題を解決するため、親機である映像機器に対して、子機である複数の映像機器が最上位の子機から最下位の子機まで直列的に接続され、前記最下位の子機が前記親機と接続され、操作部によって、前記親機に対して前記親機を制御するコマンドを送信し、前記親機は、ＳＤＩ規格に基づく映像信号のブランキング期間に割り当てられているアンシラリ領域に前記コマンドを重畳し、前記子機は、それぞれ、前記コマンドを抽出し、前記コマンドに応答して自己の映像機器を制御し、前記子機は、それぞれ、自己の映像機器を制御したとき、前記アンシラリ領域に応答データを重畳し、前記最下位の子機を除く前記子機は、それぞれ、前記コマンド及び前記応答データが重畳された映像信号を下位側の子機に送信し、前記最下位の子機は、前記コマンド及び前記応答データが重畳された映像信号を前記親機に送信することを特徴とする映像機器の制御方法を提供する。
【発明の効果】
【００１１】
本発明の映像機器及び映像機器の制御方法によれば、操作者が１つの映像機器に対してコマンドを送信して、直列的に接続された他の映像機器のそれぞれをコマンドによって制御するとき、他の映像機器がコマンドに応答して制御されたか否かを確認することができる。
【図面の簡単な説明】
【００１２】
【図１】第１実施形態の映像機器を含む複数のモニタをデイジーチェーン形式で接続したシステムの全体的な構成を示すブロック図である。
【図２】第１実施形態の映像機器の具体的な内部構成を示し、第１実施形態の映像機器を親機として用いる場合の使用形態を示すブロック図である。
【図３】第１実施形態の映像機器の具体的な内部構成を示し、第１実施形態の映像機器を子機として用いる場合の使用形態を示すブロック図である。
【図４】映像信号のアンシラリ領域にコマンド等を重畳する場合のデータ構造の一例を示す図である。
【図５】第２実施形態の映像機器を含む複数のモニタをデイジーチェーン形式で接続したシステムの全体的な構成を示すブロック図である。
【図６】第２実施形態の映像機器の内部構成を示す部分ブロック図である。
【発明を実施するための形態】
【００１３】
以下、映像機器及び映像機器の制御方法の各実施形態について、添付図面を参照して説明する。各実施形態においては、一例として、映像機器が映像信号を表示するモニタである場合について説明する。
【００１４】
＜第１実施形態＞
図１において、親機としてのモニタ１０には、子機１としてのモニタ１１が接続されている。モニタ１１には、子機２としてのモニタ１２が接続されている。モニタ１２には、子機３としてのモニタ１３が接続されている。モニタ１３には、子機４としてのモニタ１４が接続されている。モニタ１４には、子機５としてのモニタ１５が接続されている。モニタ１５は、モニタ１０と接続されている。
【００１５】
モニタ１０には、デイジーチェーン形式で、最上位の子機である子機１のモニタ１１から最下位の子機である子機５のモニタ１５まで直列的に接続されている。子機としてのモニタの数は５台に限定されることはなく、任意の台数でよい。
【００１６】
モニタ１０〜１５は、互いに１本の同軸ケーブルとＢＮＣコネクタによって接続されている。モニタ１０〜１５は、それぞれ、ＳＤＩ規格に基づいて映像信号を送受信する。音声信号の送受信については省略する。
【００１７】
モニタ１０には、モニタ１０を操作するための操作部２０が接続されている。操作部２０は、モニタ１０とは別体の外部操作部であってもよいし、モニタ１０の筐体に設けられている操作ボタンであってもよい。操作部２０は、例えば、モニタ１０に対して電源の投入または切断のコマンドやその他のトリガ入力コマンドを供給する。
【００１８】
モニタ１０には、映像出力装置３０が接続されている。映像出力装置３０は、例えば撮像装置や映像再生装置である。映像出力装置３０は、ＳＤＩ規格に基づいて映像信号をモニタ１０に送信する。モニタ１０は、ＳＤＩ規格に基づいて映像信号をモニタ１１に送信する。以下同様に、モニタ１２〜１４は、ＳＤＩ規格に基づいて映像信号をモニタ１３〜１５に順次送信する。
【００１９】
これによって、モニタ１０〜１５の全てに映像出力装置３０より出力された映像信号が表示される。
【００２０】
操作部２０によってモニタ１０に所定のコマンドが供給されると、モニタ１０はコマンドに応答して制御される。モニタ１０へと供給されたコマンドは、映像信号のブランキング期間に割り当てられているアンシラリ領域に重畳されて、モニタ１１〜１５へと順次送信される。従って、モニタ１１〜１５も、モニタ１０と同様にコマンドに応答して制御される。
【００２１】
モニタ１０は、コマンドを連続した複数のフレームそれぞれのアンシラリ領域に重畳することが好ましい。このようにすると、モニタ１１〜１５をほぼ確実に遠隔制御することが可能となる。
【００２２】
例えば、操作部２０によって電源を投入するコマンドがモニタ１０に供給されると、モニタ１０は、この供給された電源を投入するコマンドを、連続した複数のフレームそれぞれのアンシラリ領域に重畳してモニタ１１〜１５に順次供給する。これにより、モニタ１０〜１５も順次電源が投入される。
【００２３】
同様に、操作部２０によって電源を切断するコマンドがモニタ１０に供給されると、モニタ１０は、この供給された電源を切断するコマンドを、連続した複数のフレームそれぞれのアンシラリ領域に重畳してモニタ１１〜１５に順次供給する。これにより、モニタ１０〜１５も順次電源が切断される。
【００２４】
モニタ１１〜１５の一部をモニタ１０によって遠隔制御したくない場合もある。モニタ１０は、モニタ１１〜１５それぞれの遠隔制御を有効とするか無効とするかを選択可能である。なお、モニタ１１〜１５が、自身に対する外部からの遠隔制御を有効とするか無効とするかを選択することも可能である。
【００２５】
本実施形態においては、後に詳述するように、モニタ１１〜１５がコマンドに応答して制御されたとき、応答データを映像信号のアンシラリ領域に重畳して、後段のモニタに供給する。モニタ１０には、モニタ１５から、モニタ１１〜１５それぞれの応答データが重畳された映像信号が供給される。よって、モニタ１０は、モニタ１１〜１５がコマンドに応答して制御されたか否かを知ることができる。
【００２６】
モニタ１０〜１５の内部構成は全て共通である。但し、親機として使用されているモニタ１０と、子機として使用されているモニタ１１〜１５とでは、内部構成で使用する回路ブロックが部分的に異なっている。即ち、モニタ１０〜１５は、内部構成の使用形態によって、親機としても子機としても使用可能である。
【００２７】
図２を用いて、モニタ１０の具体的な内部構成及び動作について説明する。図２において、ＢＮＣコネクタの入力端子Bin1には映像出力装置３０が接続され、映像出力装置３０からの映像信号が供給される。ＢＮＣコネクタの入力端子Bin2には、モニタ１５の出力端子より出力された映像信号が供給される。映像信号はシリアルのデジタル映像信号である。
【００２８】
入力端子Bin1に入力された映像信号は、SDIイコライザ１０１に供給される。入力端子Bin2に入力された映像信号は、SDIイコライザ１０２に供給される。入力端子Bin1とSDIイコライザ１０１、及び、入力端子Bin2とSDIイコライザ１０２は、それぞれ、ＳＤＩ規格に基づく映像信号を受信する受信部として動作している。
【００２９】
SDIイコライザ１０１，１０２は、それぞれ、入力された映像信号を差動信号の形態である映像信号に変換して、シリアル・パラレル変換部１０３に供給する。シリアル・パラレル変換部１０３は、入力されたシリアルの映像信号をパラレルの映像信号に変換する。
【００３０】
親機であるモニタ１０においては、制御部１０８による制御に基づいて、スイッチ１０４，１０７が端子ｔａに接続され、スイッチ１１３，１１６が端子ｔｂに接続されている。スイッチ１０４，１０７が端子ｔａに接続されることによって、コマンド抽出部１０５及び応答データ重畳部１０６は不動作となる。コマンド抽出部１０５及び応答データ重畳部１０６の動作は、子機であるモニタ１１〜１５の内部構成で説明する。
【００３１】
シリアル・パラレル変換部１０３より出力された映像信号は、映像信号処理部１０９に入力される。映像信号処理部１０９は入力された映像信号を処理して、表示部１１０に映像として表示させる。
【００３２】
また、シリアル・パラレル変換部１０３より出力された映像信号は、スイッチスイッチ１０４，１０７，１１３を介して、応答データ確認部１１４に入力される。応答データ確認部１１４は、映像信号のアンシラリ領域にモニタ１１〜１５によって重畳された応答データが含まれているか否かを確認する。
【００３３】
応答データ確認部１１４は、モニタ１１〜１５それぞれの応答データが含まれているか否かを示す応答データ確認情報を制御部１０８及びコマンド重畳・有効／無効設定部１１５に供給する。
【００３４】
制御部１０８は、応答データ確認情報に基づいて、モニタ１１〜１５がコマンドに応答して制御されたか否かを確認し、コマンドに応答して制御されたか否かを示す文字情報等の視覚情報を表示部１１０に表示させるよう、ＯＳＤ（On Screen Display）生成部１１１を制御する。ＯＳＤ生成部１１１によって生成された視覚情報は、映像信号処理部１０９に供給される。映像信号処理部１０９は映像信号に視覚情報を重畳して、表示部１１０に供給する。
【００３５】
映像信号処理部１０９とＯＳＤ生成部１１１と表示部１１０は、モニタ１１〜１５がコマンドに応答して制御されたか否かを操作者に視覚的に提示させる提示部の一例である。制御部１０８は、応答データ確認情報に基づいて、モニタ１１〜１５がコマンドに応答して制御されたか否かを提示させるよう提示部を制御する。
【００３６】
操作部２０によって入力されたコマンドは、制御部１０８に入力される。制御部１０８は、コマンドに応じて被制御部１１２を制御する。被制御部１１２は制御部１０８によって制御される任意の部分であり、例えば、電源制御部や入力切換部である。例えば、被制御部１１２が電源制御部であり、コマンドが電源を投入させるコマンドであるとき、制御部１０８は電源制御部を制御してモニタ１０の電源を投入させる。
【００３７】
制御部１０８は、映像信号のアンシラリ領域に操作部２０によって入力されたコマンドを重畳させるよう、コマンド重畳・有効／無効設定部１１５を制御する。コマンド重畳・有効／無効設定部１１５は、操作部２０によって入力されたコマンドをアンシラリ領域に重畳して、コマンドが重畳された映像信号を、スイッチ１１６を介してパラレル・シリアル変換部１１７に供給する。
【００３８】
コマンド重畳・有効／無効設定部１１５は、操作部２０による設定によって、モニタ１１〜１５の遠隔制御を有効にするか無効にするかを設定する。コマンド重畳・有効／無効設定部１１５は、アンシラリ領域に、モニタ１１〜１５それぞれの有効／無効を設定するための設定データを重畳する。
【００３９】
コマンド重畳・有効／無効設定部１１５は、応答データ確認部１１４から応答データ確認情報が入力された場合には、モニタ１１〜１５のうちの応答データを送信したモニタの遠隔制御を無効とするよう、有効を示す設定データを、無効を示す設定データに置換する。
【００４０】
コマンドが電源を投入させるコマンドであり、例えばモニタ１１がコマンドに応答してモニタ１１の電源を投入して、アンシラリ領域に応答データを重畳させたとする。モニタ１１の応答データが重畳された映像信号をモニタ１０が受信すると、応答データ確認部１１４は、モニタ１１の応答データが存在していることを確認する。
【００４１】
仮にモニタ１１の遠隔制御の有効／無効を設定するための設定データが有効のままであると、モニタ１１は、既に電源が投入されているにもかかわらず、再度電源を投入するコマンドを受け付けてしまい、電源を投入するための処理を再度実行してしまう。
【００４２】
そこで、コマンド重畳・有効／無効設定部１１５は、応答データ確認部１１４から応答データ確認情報が入力された場合には、応答データ確認情報を送信したモニタの遠隔制御を無効とするよう、アンシラリ領域に重畳されている有効を示す設定データを、無効を示す設定データに置換する。
【００４３】
コマンド重畳・有効／無効設定部１１５は、応答データ確認部１１４からの応答データ確認情報に基づいて、モニタ１１〜１５の全てが応答データを送信したことを確認したら、コマンドの重畳を停止させる。
【００４４】
なお、状況によっては、コマンド重畳・有効／無効設定部１１５が応答データ確認部１１４から応答データ確認情報を得られない場合がある。この場合、コマンド重畳・有効／無効設定部１１５は、応答データ確認情報が予め定めた一定時間得られない場合はタイムアウトしてコマンドの重畳を停止させるようにしてもよい。
【００４５】
パラレル・シリアル変換部１１７は、入力されたパラレルの映像信号をシリアルの映像信号に変換する。ＳＤＩドライバ１１８は、差動信号の映像信号を非差動信号の形態である元の状態の映像信号に変換し、ＢＮＣコネクタの出力端子Bout1に供給する。
【００４６】
出力端子Bout1と図３に示すモニタ１１の入力端子Bin1とが同軸ケーブルによって接続されている。出力端子Bout1より出力された映像信号は、モニタ１１の入力端子Bin1へと供給される。ＳＤＩドライバ１１８及び出力端子Bout1は、映像信号を下位側に接続されているモニタ１１に送信する送信部として動作している。
【００４７】
図３を用いて、モニタ１１〜１５の具体的な内部構成及び動作について説明する。図３において、図２において説明した部分の説明を適宜省略する。
【００４８】
子機であるモニタ１１〜１５においては、制御部１０８による制御に基づいて、スイッチ１０４，１０７が端子ｔｂに接続され、スイッチ１１３，１１６が端子ｔａに接続されている。スイッチ１１３，１１６が端子ｔａに接続されることによって、応答データ確認部１１４及びコマンド重畳・有効／無効設定部１１４は不動作となる。
【００４９】
シリアル・パラレル変換部１０３より出力された映像信号は、スイッチ１０４を介して、コマンド抽出部１０５に入力される。コマンド抽出部１０５は、映像信号のアンシラリ領域に重畳されているコマンドを抽出する。抽出されたコマンドは、制御部１０８に供給される。
【００５０】
制御部１０８は、コマンドに応答して被制御部１１２を制御する。コマンドが電源を投入させるコマンドであるとき、制御部１０８は電源制御部である被制御部１１２を制御してモニタ１１〜１５の電源を投入させる。
【００５１】
制御部１０８は、コマンドに応答して制御を実行させたら、映像信号のアンシラリ領域に応答データを重畳させるよう、応答データ重畳部１０６を制御する。応答データ重畳部１０６は、アンシラリ領域に応答データを重畳する。
【００５２】
応答データが重畳された映像信号は、スイッチ１１３，１１６を介して、パラレル・シリアル変換部１１７へと供給される。モニタ１１の出力端子Bout1より出力されたコマンド及びモニタ１１の応答データとが重畳された映像信号は、モニタ１２の入力端子Bin1へと供給される。
【００５３】
モニタ１２の出力端子Bout1より出力されたコマンド及びモニタ１１，１２の応答データとが重畳された映像信号は、モニタ１３の入力端子Bin1へと供給される。モニタ１３の出力端子Bout1より出力されたコマンド及びモニタ１１〜１３の応答データとが重畳された映像信号は、モニタ１４の入力端子Bin1へと供給される。
【００５４】
モニタ１４の出力端子Bout1より出力されたコマンド及びモニタ１１〜１４の応答データとが重畳された映像信号は、モニタ１５の入力端子Bin1へと供給される。モニタ１５の出力端子Bout1より出力されたコマンド及びモニタ１１〜１５の応答データとが重畳された映像信号は、図２のモニタ１０の入力端子Bin2へと供給される。
【００５５】
図３において、入力端子Bin1及びSDIイコライザ１０１は、上位側に接続されているモニタより送信されたＳＤＩ規格に基づく映像信号を受信する受信部として動作している。SDIドライバ１１８及び出力端子Bout1は、コマンド及び応答データが重畳された映像信号を下位側に接続されている映像機器に送信する送信部として動作している。
【００５６】
以上の図２，図３の構成によって、操作部２０によってモニタ１０に所定のコマンドを入力してモニタ１０のみを制御すれば、モニタ１０に対して直列的に接続されたモニタ１１〜１５がそれぞれ遠隔制御される。
【００５７】
モニタ１１〜１５がコマンドに応答して制御されると、それぞれの応答データが重畳された映像信号がモニタ１０に供給される。よって、操作者は、モニタ１０によって、モニタ１１〜１５のどれが制御されてどれが制御されなかったかを確認することが可能となる。
【００５８】
上記の例では、ＯＳＤ生成部１１１によって視覚情報を生成して表示部１１０にその視覚情報を表示させることによってモニタ１１〜１５がコマンドに応答して制御されたか否かを操作者に提示させるようにしている。これは単なる例であり、操作者が、モニタ１１〜１５が制御されたか否かを確認する方法は、視覚情報を表示部１１０表示させる方法に限定されない。
【００５９】
図４を用いて、映像信号のアンシラリ領域にコマンド，有効／無効設定データ，応答データを重畳させるデータ構造の一例を説明する。ここでは映像信号を１０ビットであるとする。
【００６０】
図４において、１，２，３…は１０ビットのデータを単位とするアドレスを示している。図４に示すように、予め定めた１０ビットのデータの４アドレス分が、コマンド，有効／無効設定データ，応答データを含むデータ列であることを示す識別信号重畳領域として設定されている。１６進数で示すと、識別信号は例えば“３ＦＦ”，“１００”，“１００”，“３ＦＦ”である。
【００６１】
モニタ１０がアンシラリ領域にコマンドを重畳する場合には、コマンド重畳・有効／無効設定部１１５は、“３ＦＦ”，“１００”，“１００”，“３ＦＦ”の識別信号に続けて例えば５アドレス分のコマンド重畳領域にコマンドを重畳させればよい。モニタ１１〜１５のコマンド抽出部１０５は、識別信号に続く５アドレス分のコマンド重畳領域に含まれるデータをコマンドとして抽出すればよい。
【００６２】
有効／無効設定データ重畳領域に続く５アドレス分が応答データ重畳領域として設定されている。応答データ重畳領域に続く４アドレス分をコマンド，有効／無効設定データ，応答データを含むデータ列が終了したことを示す識別信号重畳領域として設定されている。終了を示す識別信号重畳領域は省略可能である。
【００６３】
本実施形態においては、有効／無効設定データ重畳領域は５０ビットであり、１つのモニタに１ビットを割り当てれば、５０台分のモニタの有効／無効を設定することができる。
【００６４】
図４に示すように、アドレス１０の先頭から、モニタ１０〜１５それぞれの有効／無効を示す設定データV10〜V15が設定されている。有効を“１”とし、モニタ１０〜１５を全て有効に設定したとすると、設定データV10〜V15は全て“１”である。
【００６５】
子機としてのモニタが５台のみであれば、６ビット目以降は無効を示す“０”とすればよい。
【００６６】
モニタ１０は親機であり、モニタ１０の有効／無効を示す設定データV10は必ずしも必要ではない。有効／無効設定データを子機としてのモニタのみに割り当ててもよい。この場合、５０台分の子機としてのモニタの有効／無効を設定することができる。
【００６７】
前述のように、モニタ１０〜１５は、内部構成の使用の仕方によって、親機としても子機としても使用可能である。よって、モニタ１０が子機として使用される可能性もある。そこで、有効／無効設定データ重畳領域には、図４に示すように、親機としてのモニタ１０の有効／無効を設定するビットも確保しておくことが好ましい。
【００６８】
５０ビットの応答データ重畳領域のそれぞれのビットは、５０台分のモニタそれぞれが映像信号に応答データを重畳したか否かを示している。
【００６９】
図４に示すように、アドレス１５の先頭から、モニタ１０〜１５それぞれがコマンドに応答して自己のモニタを制御したか否かを示す応答データR10〜R15が重畳されている。
【００７０】
本実施形態においては、モニタ１０は親機であるので、応答データR10は実際には重畳されない。同様に、親機としてのモニタが子機として使用される可能性もあるため、親機としてのモニタが応答データを重畳するビットも確保しておくことが好ましい。
【００７１】
モニタ１１〜１５の全てが映像信号に応答データを重畳し、“１”が応答データを重畳したことを示すとすると、応答データR11〜R15は全て“１”である。
【００７２】
但し、１フレームの応答データ重畳領域で応答データR11〜R15の全てが“１”とならない場合が発生する。応答データR11〜R15の全てが“１”であるとは、複数のフレームに渡るアンシラリ領域の応答データ重畳領域を見たときに、応答データR11〜R15の全てが“１”となっている場合を含む。
【００７３】
＜第２実施形態＞
図５を用いて、第２実施形態について説明する。図５に示す第２実施形態においては、図１に示す第１実施形態の操作部２０の代わりに、パーソナルコンピュータ２０Ｐが用いられている。パーソナルコンピュータ２０Ｐも操作部である。パーソナルコンピュータ２０Ｐは外部機器の一例である。
【００７４】
モニタ１０とパーソナルコンピュータ２０Ｐとは、シリアル接続されているか、ネットワークによって接続されている。モニタ１０とパーソナルコンピュータ２０Ｐとは双方向の接続である。
【００７５】
図６に示すように、モニタ１０の制御部１０８とパーソナルコンピュータ２０Ｐとは、入出力インタフェース（Ｉ／Ｆ）１１９を介して双方向に通信する。パーソナルコンピュータ２０Ｐによって入力されたコマンドは、入出力Ｉ／Ｆ１１９を介して制御部１０８に供給される。
【００７６】
応答データ確認部１１４が応答データ確認情報を制御部１０８に供給すると、制御部１０８は、応答データ確認情報をパーソナルコンピュータ２０Ｐに供給するよう入出力Ｉ／Ｆ１１９を制御する。これによって、応答データ確認情報はパーソナルコンピュータ２０Ｐへと供給される。
【００７７】
パーソナルコンピュータ２０Ｐは、応答データ確認情報に基づいて、モニタ１１〜１５がコマンドに応答して制御されたか否かを管理することができる。パーソナルコンピュータ２０Ｐは、パーソナルコンピュータ２０Ｐの表示部に、モニタ１１〜１５がコマンドに応答して制御されたか否かを提示させることができる。
【００７８】
第２実施形態によれば、モニタ１１〜１５がコマンドに応答して制御されたか否かをモニタ１０の表示部１１０に表示させる代わりに（または表示部１１０への表示に加えて）、パーソナルコンピュータ２０Ｐで監視することが可能となる。
【００７９】
パーソナルコンピュータ２０Ｐは、モニタ１１〜１５がコマンドに応答して制御されたか否かを監視するための外部機器の一例である。パーソナルコンピュータ２０Ｐの代わりに、監視するため専用の外部機器を用いることも可能である。
【００８０】
図５に示す第２実施形態において、モニタ１１〜１５の内部構成は図３と同じであり、モニタ１１〜１５の動作は、第１実施形態で説明した動作と同じである。
【００８１】
以上説明した第１及び第２実施形態において、モニタ１１〜１５は、モニタ１０に対して操作部２０やパーソナルコンピュータ２０Ｐよりコマンドを供給することによって遠隔制御される。モニタ１０のコマンド重畳・有効／無効設定部１１５による遠隔制御の有効／無効の設定によって、モニタ１１〜１５を一括して制御することもできるし、モニタ１１〜１５のうちの一部を個別に制御することもできる。
【００８２】
モニタ１１〜１５の筐体に設けられている操作ボタンを個別に操作して、モニタ１１〜１５を個別に制御することも可能である。
【００８３】
以上説明した第１及び第２実施形態においては、映像機器がモニタである場合について説明したが、映像機器はモニタに限定されることはない。映像機器は、セキュリティ機器，医療用電子機器，デジタル・サイネージ，テレビ会議システム，デジタルシネマ等であってもよく、ＳＤＩ規格に基づく映像信号を取り扱う任意の映像機器であればよい。
【００８４】
本発明は以上説明した第１及び第２実施形態に限定されることはなく、本発明の要旨を逸脱しない範囲において種々変更可能である。
【符号の説明】
【００８５】
１０  モニタ（親機，映像機器）
１１〜１５  モニタ（子機，映像機器）
２０  操作部
２０Ｐ  パーソナルコンピュータ（外部機器）
１０１，１０２  SDIイコライザ（受信部）
１０５  コマンド抽出部
１０６  応答データ重畳部
１０８  制御部
１１４  応答データ確認部
１１５  （コマンド重畳部，有効／無効設定部）
１１８  SDIドライバ（送信部）
Bin1，Bin2  入力端子（受信部）
Bout1  出力端子（送信部）
【図１】
2015008372.tif 000003
【図２】
2015008372.tif 000004
【図３】
2015008372.tif 000005
【図４】
2015008372.tif 000006
【図５】
2015008372.tif 000007
【図６】
2015008372.tif 000008